(57)【特許請求の範囲】
【請求項１】
船舶内に設置されたトイレなどからのふん尿等を浄化処理する汚物タンクと、上記汚物タンク内で浄化処理した処理液を紫外線照射により殺菌処理する殺菌装置と、上記処理した処理液を船外に放出する手段とよりなり、
上記汚物タンクが、液の流れの方向に沿って、前処理室と、接触酸化室と、処理液室とよりなり、
上記接触酸化室からの処理液を上記殺菌装置に導入し、その処理液を上記処理液室に貯蔵せしめる手段を有し、
上記処理液室内の処理液を上記殺菌装置に導入し、その処理液を上記処理液室に貯蔵せしめる手段を更に有することを特徴とするふん尿等浄化装置。
【発明の詳細な説明】
【技術分野】
【０００１】
本発明はふん尿等浄化装置、特に船舶等に用いる海洋汚染を防止するための装置に関するものである。
【背景技術】
【０００２】
図２は従来の船舶のふん尿等浄化装置を示し、１は船舶内に設置されたトイレなどからのふん尿等を処理する汚物タンク(汚水タンク)であり、上記汚物タンク１は、液の流れの方向（図中左から右方向）に沿って前処理室２と、接触酸化室３と、沈殿分離室４と、処理液室５とを順次連続した構成のものである。
【０００３】
上記前処理室２は、トイレからのふん尿等を上記前処理室２内に導入する汚物管６と、上記汚物管６からのふん尿等をろ過するろ過器７と、暴気用空気管８とを有し、上記接触酸化室３は、塩化ビニルなどから成る接触酸化材９と、暴気用空気管１０とを有し、上記処理液室５は、上記汚物タンク１の外部から上記処理液室５内に塩素剤を注入する消毒薬導入管１１と、水位制御器１２と、排水管１３とよりなる。
【０００４】
上記従来の船舶のふん尿等浄化装置においては、トイレからのふん尿等が上記汚物管６から上記前処理室２内に導入されて、大きな固体物は上記ろ過器７により除去され、小さな固体物は上記暴気用空気管８から噴出する気泡の暴気作用により粉砕され、固体と液体に分離され、その処理液が上記接触酸化室３に導入されて、多数のしわを有する接触酸化材９に膜状に形成された好気性微生物により上記処理液中の有機物が無機物に分解され、次に、その処理液が沈殿分離室４に導入されて、処理液中の固体部分を沈殿せしめて、液体部分のみを上記処理液室５に導入して、その処理液を、上記消毒薬導入管１１より導入された塩素剤により消毒して貯蔵せしめ、その処理液が上記処理液室５内で所望の量貯まると上記水位制御器１２がそれを検知して、上記排出管１３を介して海水に自動排出していた。
【発明の概要】
【発明が解決しようとする課題】
【０００５】
しかしながら、上記従来の船舶のふん尿等浄化装置では、塩素剤を使用しているため、残留塩素の除去調整管理が難しく、特に、平成２２年から実施される国土交通省が発行する「海洋汚染防止設備、海洋汚染防止緊急措置手引書等及び大気汚染防止検査対象設備に関する技術上の基準等に関する省令の一部を改正する省令」に規定された残留塩素量と耐高温性大腸菌群数との両方を基準値以内に除去することが難しいという欠点があった。
【０００６】
本発明は上記の欠点を無くしたものである。
【課題を解決するための手段】
【０００７】
本発明のふん尿等浄化装置は、トイレなどからのふん尿等を浄化処理する汚物タンクと、上記汚物タンク内で浄化処理した処理液を紫外線照射により殺菌処理する殺菌装置と、上記処理した処理液を例えば海水など上記汚物タンク外に放出する手段とよりなることを特徴とする。また、本発明のふん尿等浄化装置は、船舶内に設置されたトイレなどからのふん尿等を浄化処理する汚物タンクと、上記汚物タンク内で浄化処理した処理液を紫外線照射により殺菌処理する殺菌装置と、上記処理した処理液を船外に放出する手段とよりなることを特徴とする。
【０００８】
また、上記汚物タンクが、接触酸化材と、暴気手段とを備えていることを特徴とする。
【０００９】
また、上記汚物タンクが、液の流れの方向に沿って、１又は複数の接触酸化材と暴気手段とを有する前処理室と、１又は複数の接触酸化材と暴気手段とを有する接触酸化室と、処理液室とよりなり、上記接触酸化室からの処理液を上記殺菌装置に導入し、その処理液を上記処理液室に貯蔵せしめる手段を有することを特徴とする。
【００１０】
また、上記処理液室内の処理液を上記殺菌装置に導入し、その処理液を上記処理液室に貯蔵せしめる手段を更に有する。
【００１１】
また、本発明のふん尿等浄化装置は、液の流れの方向に沿って、１又は複数の接触酸化材と暴気手段とを有する前処理室と、１又は複数の接触酸化材と暴気手段とを有する接触酸化室と、処理液室とよりなる、トイレなどからのふん尿等を浄化処理する汚物タンクであることを特徴とする。また、本発明のふん尿等浄化装置は、液の流れの方向に沿って、１又は複数の接触酸化材と暴気手段とを有する前処理室と、１又は複数の接触酸化材と暴気手段とを有する接触酸化室と、処理液室とよりなる、船舶内に設置されたトイレなどからのふん尿等を浄化処理する汚物タンクであることを特徴とする。
【発明の効果】
【００１２】
本発明のふん尿等浄化装置によれば、塩素剤を用いずに大腸菌を殺菌するので、残留塩素が出ず、平成２２年から実施される国土交通省が発行する「海洋汚染防止設備、海洋汚染防止緊急措置手引書等及び大気汚染防止検査対象設備に関する技術上の基準等に関する省令の一部を改正する省令」に規定された残留塩素量と耐高温性大腸菌群数との両方を基準値以内に除去することが容易になるという大きな利益がある。
【００１３】
また、本発明のふん尿等浄化装置によれば、前処理室内において、処理液が接触酸化材の多数のしわに接触することにより、固体と液体の分離を促進せしめ、かつ、接触酸化材に形成された微生物の作用により浄化処理を行なうことにより、TSSを著しく下げることができるなど、処理能力（効率）の向上を図ることができる。
【００１４】
また、複数段の接触酸化材を用いることにより、浄化処理の効果を著しく上げることができる。
【００１５】
また、処理液室の処理液を再度殺菌装置に導入し、その処理液を再度処理液室に貯蔵せしめれば、殺菌効果のばらつきを少なくすることができる。
【図面の簡単な説明】
【００１６】
【図１】図１は本発明のふん尿等浄化装置の説明図である。
【図２】図２は従来のふん尿等浄化装置の説明図である。
【発明を実施するための形態】
【００１７】
以下、図面によって本発明の実施例を説明する。
【実施例１】
【００１８】
本発明のふん尿等浄化装置は、図１に示すように、船舶内に設置されたトイレなどからのふん尿等を処理する汚物タンク１４と殺菌装置１５とよりなり、上記汚物タンク１４は、流れの方向（図中左から右方向）に沿って、前処理室１６と、接触酸化室１７と、沈殿分離室１８と、処理液室１９とを順次連続した構成のものである。
【００１９】
上記前処理室１６は、汚物タンク１４の図中左側壁２０およびこれと対峙し、かつ上部と下部が開くと共に、その上端が上記汚物タンク１４の天井付近まで延びる仕切板２１と、上記仕切板２１と対峙し、かつ上部が開き下部が閉じると共に、上端が上記仕切板２１の上端より低く形成した仕切壁２２とによって形成され、上記前処理室１６の天井面に、トイレからのふん尿等を上記前処理室１６内に導入する汚物管２３と臭気抜管２４を設け、また、上記左側壁２０と上記仕切板２１との間の上部に、上記汚物管２３からのふん尿等をろ過するろ過器２５と、その下部に、板状の塩化ビニル製などから成る第一の接触酸化材２６を配設せしめ、また、上記仕切板２１と上記仕切壁２２との間に、上記第一の接触酸化材２６よりも接触面積が大きい糸状の塩化ビニル製などからなる第二の接触酸化材２７を配設せしめると共に、上記第一の接触酸化材２６と第二の接触酸化材２７の下方位置に、上記汚物タンク１４の外部に設けたブロワ２８にエアレーションパイプ２９を介して接続され、かつ小穴を長手方向に多数配設した前後方向に伸びる暴気用空気管３０を設ける。
【００２０】
上記接触酸化室１７は、上記仕切壁２２およびこれと対峙し、かつ上部と下部とが開くと共に、その上端が上記汚物タンク１４の天井付近まで延びる仕切板３１と、上記仕切板３１と対峙し、かつ上部と下部が開くと共に、その上端が上記汚物タンク１４の天井付近まで延びる仕切板３２と、上記仕切板３２と対峙し、かつ上部が開き下部が閉じると共に、上端が上記仕切壁２２の上端より低く形成した仕切壁３３とによって形成され、上記仕切壁２２と上記仕切板３１との間に上記第二の接触酸化材２７よりも接触面積の大きいセラミックス製の第三の接触酸化材３４を配設せしめると共に、上記第三の接触酸化材３４の下方位置に、汚物タンク１４の外部に設けたブロワ２８にエアレーションパイプ２９を介して接続され、かつ小穴を長手方向に多数配設した前後方向に伸びる暴気用空気管３５を設ける。
【００２１】
上記沈殿分離室１８は、上記仕切壁３３およびこれと対峙し、かつ上部と下部が開くと共に、その上端が上記汚物タンク１４の天井付近まで延びる仕切板３６と、上記仕切板３６に対峙し、かつ上部が開き下部が閉じると共に、その上端が上記汚物タンク１４の天井付近まで延びる仕切壁３７とよって形成され、上記仕切壁３７の上方で、かつ上記仕切壁３３の上端より低い位置に、上記沈殿分離室１８内の処理液を上記殺菌装置１５に導入する導入配管３８を接続せしめる。
【００２２】
上記殺菌装置１５は、上記汚物タンク１４の外部に設けた紫外線照射装置３９を有する殺菌室４０によって形成され、その入口に上記導入配管３８を接続せしめ、出口に上記殺菌室１５の処理液を上記処理液室１９に排出するための排出配管４１を接続せしめる。
【００２３】
上記処理液室１９は、上記仕切壁３７および汚物タンク１４の図中右側壁４２によって形成され、上記処理液室１９内に水位制御器４３を設け、また、上記右側壁４２の、上記導入配管３８が上記沈殿分離室１８に接続された位置より低い位置に、上記排出配管４４を接続せしめる。
【００２４】
また、上記右側壁４２の、上記排出配管４１接続口より下方に配管４４を設け、その他端を循環ポンプ４５を介して殺菌室４０の入口側に接続せしめ、上記処理液室１９内の処理液を、再度、上記殺菌装置１５に導入せしめ、その処理液を上記処理液室１９内に貯蔵せしめる。
【００２５】
また、上記右側壁４２の、上記配管４４接続口より下方に処理水配管４６を設ける。
【００２６】
また、上記処理液室１９の天井面には臭気抜管４７を設け、上記処理液室１９の上記右側壁４２上部にオーバフロー管４８を設ける。
【００２７】
上記前処理室１６、上記接触酸化室１７、上記沈殿分離室１８の各底部には、常時閉の排出弁４９、５０、５１が設けられ、また、上記排出配管４６には、常時開の排出弁５２が設けられ、これが連結管５３および常時開の弁５４を介して排出ポンプ５５に接続され、上記排出ポンプ５５の出力側には、海水への排出用の排水管５６が接続されている。
【００２８】
また、上記連結管５３には上記弁５４と流れ方向の反対位置に上記常時閉の弁５７が設けられ、これが海水導入用の導入管５８に接続されている。
【００２９】
本発明のふん尿等浄化装置は上記のような構成であるから、トイレからのふん尿等が上記汚物管２３から上記前処理室１６内に導入され、大きな固体物は上記ろ過器２５により除去され、上記ろ過された処理液は、エアーブローによる粉砕と、上記第一の接触酸化材２６の多数のしわに接触することにより、固体と液体の分離が促進され、かつ、上記第一の接触酸化材２６に膜状に形成された好気性微生物の作用により分解処理が行なわれ、さらに、その処理液を糸状の塩化ビニル製の第二の接触酸化材２７に接触せしめることにより分解処理を進め、固液分離を促進せしめる。
【００３０】
上記前処理室１６の処理液は上記接触酸化室１７に導入され、上記第一、第二の接触酸化材よりも接触面積の多い接触酸化材で微生物処理の効率をアップせしめ、その後、沈殿分離室１８に導入されて、上記処理液の液体部分のみが上記導入配管３８を介して殺菌装置１５に導入され、紫外線が照射されることにより大腸菌が死滅し、その処理液は上記処理液室１９内に貯蔵される。
【００３１】
また、上記処理液室１９内の処理液は上記配管４４、循環ポンプ４５を介して、再度上記殺菌装置１５に導入され、同様に紫外線が照射されることのより大腸菌が死滅し、その処理液は上記処理室１９内に貯蔵される。
【００３２】
上記処理液室１９内の処理液は、上記処理液室１９内で所望の量貯まると上記水位制御器４３がそれを検知して、汚物排出ポンプ５５により海水に自動排出される。
【００３３】
本発明のふん尿等浄化装置によれば、前処理室１６内において、処理液が接触酸化材の多数のしわに接触することにより、固体と液体の分離を促進せしめ、かつ、接触酸化材に形成された微生物の作用により浄化処理を行なうことにより、TSSを著しく下げることができるなど、処理能力（効率）の向上を図ることができるという大きな利益がある。
【００３４】
また、三段階の接触酸化材を用いることで、微生物処理の効果を著しく上げることができる。
【００３５】
また、塩素剤を用いずに大腸菌を殺菌するので、残留塩素が出ず、平成２２年から実施される国土交通省が発行する「海洋汚染防止設備、海洋汚染防止緊急措置手引書等及び大気汚染防止検査対象設備に関する技術上の基準等に関する省令の一部を改正する省令」に規定された残留塩素量と耐高温性大腸菌群数との両方を基準値以内に除去することが容易になる。
【００３６】
また、上記処理液室１９内の処理液を再度殺菌装置１５に循環することにより、殺菌効果のばらつきを少なくすることができる。
【産業上の利用可能性】
【００３７】
本願発明はディスポーザ廃水などの生活液体廃棄物においても適用できる。
【符号の説明】
【００３８】
１  汚物タンク
２  前処理室
３  接触酸化室
４  沈殿分離室
５  処理液室
６  汚物管
７  ろ過器
８  暴気用空気管
９  接触酸化材
１０  暴気用空気管
１１  消毒薬導入管
１２  水位制御器
１３  排水管
１４  汚物タンク
１５  殺菌装置
１６  前処理室
１７  接触酸化室
１８  沈殿分離室
１９  処理液室
２０  左側壁
２１  仕切板
２２  仕切壁
２３  汚物管
２４  臭気抜管
２５  ろ過器
２６  接触酸化材
２７  接触酸化材
２８  ブロワ
２９  エアレーションパイプ
３０  暴気用空気管
３１  仕切板
３２  仕切板
３３  仕切壁
３４  接触酸化材
３５  暴気用空気管
３６  仕切板
３７  仕切壁
３８  導入配管
３９  紫外線照射装置
４０  殺菌室
４１  排出配管
４２  右側壁
４３  水位制御器
４４  配管
４５  循環ポンプ
４６  処理水配管
４７  臭気抜管
４８  オーバーフロー管
４９  弁
５０  弁
５１  弁
５２  弁
５３  連結管
５４  弁
５５  排出ポンプ
５６  排水管
５７  弁
５８  導入管
【図１】
0005444449.tif 000002
【図２】
0005444449.tif 000003